(57)【特許請求の範囲】
【請求項１】
ネットワークを介して送信される画像情報を利用したサービスを行う画像利用サービスシステムであって、
前記ネットワークに接続され、前記サービスの管理を行うサービス管理サーバと、
画像情報の編集処理又は分析処理を伴うサービス処理を実行するサービス処理部と、
前記サービス処理部が利用する画像の撮影を支援する撮影補助画像情報を含む撮影支援情報を記憶する支援情報記憶部とを含み、
前記サービス管理サーバは、前記ネットワークに接続された端末装置からのサービス要求を受信したとき、前記要求されたサービスに応じた撮影支援情報を前記支援情報記憶部から取得し、個別のサービス要求を識別するための情報であるサービス要求受付情報とともに前記端末装置に送信し、前記送信した撮影支援情報を利用して撮影した画像情報を前記サービス要求受付情報とともに受信したとき、前記受信した画像情報を利用したサービス処理を前記サービス処理部に実行させるものである画像利用サービスシステム。
【請求項２】
請求項１記載の画像利用サービスシステムであって、
前記撮影補助画像情報は、前記サービス処理に好適な構図の画像撮影を支援する画像情報である画像利用サービスシステム。
【請求項３】
請求項２記載の画像利用サービスシステムであって、
前記撮影補助画像情報は、デジタルカメラの表示装置における被写体画像との重畳表示に利用されるものである画像利用サービスシステム。
【請求項４】
請求項１ないし３のいずれか１項記載の画像利用サービスシステムであって、
前記サービスは、顔写真画像情報又は手相写真画像情報を利用した占いサービスであり、
前記サービス管理サーバは、前記サービス処理部が実行した占い結果を前記端末装置に送信するものである画像利用サービスシステム。
【請求項５】
請求項１ないし３のいずれか１項記載の画像利用サービスシステムであって、
前記サービスは、顔写真画像情報を利用した類似著名人検索サービスであり、
前記サービス管理サーバは、前記サービス処理部が実行した検索結果を前記端末装置に送信するものである画像利用サービスシステム。
【請求項６】
請求項１ないし３のいずれか１項記載の画像利用サービスシステムであって、
前記サービスは、任意のテンプレート画像との合成写真作成サービスであり、
前記サービス管理サーバは、前記サービス処理部が実行した合成写真画像情報を前記端末装置に送信するものである画像利用サービスシステム。
【請求項７】
請求項１ないし３のいずれか１項記載の画像利用サービスシステムであって、
前記サービスは、任意のテンプレート画像との合成写真作成サービスであり、
前記サービス処理部は、前記合成写真情報に基づくプリント作成を指示するものである画像利用サービスシステム。
【請求項８】
請求項１ないし７のいずれか１項記載の画像利用サービスシステムであって、
前記支援情報記憶部は、デジタルカメラの機種に応じた前記撮影支援情報を記憶するものであり、
前記端末装置からのサービス要求には、画像撮影に使用するデジタルカメラの機種を示す情報が含まれており、
前記サービス管理サーバは、前記サービス要求に含まれるデジタルカメラの機種を示す情報に応じた前記撮影支援情報を前記支援情報記憶部から取得して前記端末装置に送信するものである画像利用サービスシステム。
【請求項９】
ネットワークを介して送信される画像情報を利用したサービスの要求を行う端末装置であって、
前記ネットワークに接続された前記サービスの管理を行うサービス管理サーバにアクセス可能であり、
デジタルカメラと通信可能であり、
前記サービス管理サーバに対するサービス要求に応じて、前記サービスに利用される画像の撮影を支援する撮影補助画像情報を含む撮影支援情報を、個別のサービス要求を識別するための情報であるサービス要求受付情報とともに受信し、受信した前記撮影支援情報と前記サービス要求受付情報を前記デジタルカメラに送信し、前記デジタルカメラから前記撮影支援情報を利用して撮影した画像情報と前記サービス要求受付情報を受信し、前記受信した画像情報と前記サービス要求受付情報を前記サービス管理サーバに送信するものである端末装置。
【請求項１０】
請求項９記載の端末装置であって、
携帯可能であり、
前記デジタルカメラと近距離無線通信により通信可能である端末装置。
【請求項１１】
請求項９記載の端末装置であって、
携帯可能であり、
前記デジタルカメラと有線接続された端末装置。
【請求項１２】
請求項９記載の端末装置であって、
携帯可能であり、
前記デジタルカメラと一体に形成された端末装置。
【請求項１３】
請求項９ないし１２のいずれか１項記載の端末装置であって、
前記撮影補助画像情報は、前記サービスの実行に好適な構図の画像撮影を支援する画像情報である画像利用サービスシステム。
【請求項１４】
請求項１３記載の端末装置であって、
前記撮影補助画像情報は、デジタルカメラの表示装置における被写体画像との重畳表示に利用されるものである端末装置。
【発明の詳細な説明】
【０００１】
【発明の属する技術分野】
本発明は、ネットワークを介して送信される画像情報を利用したサービスを行う画像利用サービスシステム及びそれに使用する端末装置に関する。
【０００２】
【従来の技術】
ネットワークを介して伝送される写真画像情報を利用したサービスとしては、従来からプリントサービスが実現されているが、最近では伝送される写真画像情報の編集処理又は分析処理を伴うサービスも行われるようになっている。編集処理を伴うサービスとしては、所定のテンプレート画像と合成し、作成した合成画像情報又は合成画像情報に基づくプリントを依頼者に提供するサービスがある。また、分析処理を伴うサービスとしては、顔画像又は手画像を利用した占いサービス、顔画像を利用した類似著名人検索サービスがある。
【０００３】
写真画像情報の編集処理又は分析処理を行うためには、予め定められた所定の構図の写真画像であることが処理量及び処理精度の点から好ましい。例えば、テンプレート画像との合成処理を行う場合、利用者の撮影した写真画像をそのまま重ね合わせることにより希望する合成画像が得られるのが好ましく、そのためには、撮影被写体が所定の位置に所定の大きさで撮影されている必要がある。また、顔画像を用いた人相占い、手画像を用いた手相占い、顔画像を用いた類似著名人検索等の分析処理を行う場合、画像の輪郭や、部分形状の抽出を行うが、その場合、分析精度の向上のためには、顔や手の大きさが所定のもので、その位置が所定位置に配置されていることが必要である。
【０００４】
一方、所望の構図での撮影を確実に行うことは、一般の利用者にとって必ずしも簡単でないため、デジタルカメラに補助画像情報を記憶しておき、所望の補助画像情報をデジタルカメラの表示部に表示して、構図をきめる際の参考することができるデジタルカメラが提案されている（例えば、特開平１０−２４３２７４号公報参照）。しかし、この場合でも、サービスに必要な構図の写真画像用の補助画像情報がデジタルカメラに記憶されているとは限らず、また、記憶されているとしてそれらの選択は、簡単ではない。
【０００５】
【発明が解決しようとする課題】
本発明は、上記事情に鑑みなされたもので、撮影写真画像を利用したサービスを、短時間で精度よく行うことができる撮影画像利用サービスシステム及びそれに使用する端末装置を提供するものである。
【０００６】
【課題を解決するための手段】
本発明の画像利用サービスシステムは、ネットワークを介して送信される画像情報を利用したサービスを行うものであって、前記ネットワークに接続され、前記サービスの管理を行うサービス管理サーバと、画像情報の編集処理又は分析処理を伴うサービス処理を実行するサービス処理部と、前記サービス処理部が利用する画像の撮影を支援する撮影補助画像情報を含む撮影支援情報を記憶する支援情報記憶部とを含み、前記サービス管理サーバは、前記ネットワークに接続された端末装置からのサービス要求を受信したとき、前記要求されたサービスに応じた撮影支援情報を前記支援情報記憶部から取得し、個別のサービス要求を識別するための情報であるサービス要求受付情報とともに前記端末装置に送信し、前記送信した撮影支援情報を利用して撮影した画像情報を前記サービス要求受付情報とともに受信したとき、前記受信した画像情報を利用したサービス処理を前記サービス処理部に実行させるものである。
【０００７】
本発明の画像利用サービスシステムにおける前記撮影補助画像情報として、前記サービス処理に好適な構図の画像撮影を支援する画像情報を利用するものである。
【０００８】
本発明の画像利用サービスシステムにおける前記撮影補助画像情報は、デジタルカメラの表示装置における被写体画像との重畳表示に利用されるものである。
【０００９】
本発明の画像利用サービスシステムにおける前記サービスは、顔写真画像情報又は手相写真画像情報を利用した占いサービスであり、前記サービス管理サーバは、前記サービス処理部が実行した占い結果を前記端末装置に送信するものである。
【００１０】
本発明の画像利用サービスシステムにおける前記サービスは、顔写真画像情報を利用した類似著名人検索サービスであり、前記サービス管理サーバは、前記サービス処理部が実行した検索結果を前記端末装置に送信するものである。
【００１１】
本発明の画像利用サービスシステムにおける前記サービスは、任意のテンプレート画像との合成写真作成サービスであり、前記サービス管理サーバは、前記サービス処理部が実行した合成写真画像情報を前記端末装置に送信するものである。
【００１２】
本発明の画像利用サービスシステムにおける前記サービスは、任意のテンプレート画像との合成写真作成サービスであり、前記サービス処理部は、前記合成写真情報に基づくプリント作成を指示するものである。
【００１３】
本発明の画像利用サービスシステムにおける前記支援情報記憶部は、デジタルカメラの機種に応じた前記撮影支援情報を記憶するものであり、前記端末装置からのサービス要求には、画像撮影に使用するデジタルカメラの機種を示す情報が含まれており、前記サービス管理サーバは、前記サービス要求に含まれるデジタルカメラの機種を示す情報に応じた前記撮影支援情報を前記支援情報記憶部から取得して前記端末装置に送信するものである。
【００１４】
本発明の端末装置は、ネットワークを介して送信される画像情報を利用したサービスの要求を行うものであって、前記ネットワークに接続された前記サービスの管理を行うサービス管理サーバにアクセス可能であり、デジタルカメラと通信可能であり、前記サービス管理サーバに対するサービス要求に応じて、前記サービスに利用される画像の撮影を支援する撮影補助画像情報を含む撮影支援情報を、個別のサービス要求を識別するための情報であるサービス要求受付情報とともに受信し、受信した前記撮影支援情報と前記サービス要求受付情報を前記デジタルカメラに送信し、前記デジタルカメラから前記撮影支援情報を利用して撮影した画像情報と前記サービス要求受付情報を受信し、前記受信した画像情報と前記サービス要求受付情報を前記サービス管理サーバに送信するものである。
【００１５】
本発明の端末装置は、携帯可能であり、前記デジタルカメラと、近距離無線通信により又は有線接続により通信可能なものである。
【００１６】
本発明の端末装置は、携帯可能であり、前記デジタルカメラと一体に形成されたものである。
【００１７】
本発明の端末装置は、前記撮影補助画像情報として、前記サービスの実行に好適な構図の画像撮影を支援する画像情報を受信するものであり、前記撮影補助画像情報は、デジタルカメラの表示装置における被写体画像との重畳表示に利用されるものである。
【００１８】
【発明の実施の形態】
以下、本発明の実施の形態について、図面を用いて説明する。図１は、本発明のサービスシステムの実施の形態の概略全体構成を示す図である。ネットワーク３０には、サービス管理サーバ４０が接続され、サービス管理サーバ４０には、支援情報記憶部５０、サービス処理部６０−１、６０−２が接続される。また、ネットワーク３０には、端末装置２０が接続可能であり、端末装置２０は、デジタルカメラ１０が接続可能となっている。
【００１９】
サービス管理サーバ４０は、画像情報の編集処理又は分析処理を伴うサービスの受付、管理を行うものであり、端末装置２０からサービス要求を受信すると、受信したサービス要求に応じた撮影支援情報を支援情報記憶部５０から取得して端末装置２０に送信し、送信した撮影支援情報を利用して撮影した画像情報を受信したとき、受信した画像情報を利用したサービス処理をサービス処理部６０−１、６０−２に実行させるものである。
【００２０】
サービス処理部６０−１、６０−２は、写真画像情報の編集処理又は分析処理を伴う画像処理サービスを実行するもので、所定のプログラムに基づいて動作するプロセッサを主体に構成される。図１では、２個のサービス処理部６０−１、６０−２が、サービス管理サーバ４０と接続された別のものとして記載されているが、１つのプロセッサで構成することも可能であり、サービス管理サーバ４０の能力によっては、サービス管理サーバ４０と兼用することも可能である。また、サービス処理部の数も２個に限らず１個でも３個以上でもよい。さらに、図１では、２個のサービス処理部６０−１、６０−２が、サービス管理サーバ４０と直接接続されているが、サービス処理部６０−１、６０−２をネットワーク３０あるいは他のネットワークを介してサービス管理サーバ４０に接続してもよい。
【００２１】
サービス処理部６０−１、６０−２が実行する写真画像情報の編集処理又は分析処理を伴う画像処理サービスとしては、例えば顔写真画像情報又は手相写真画像情報を利用した占いサービス、顔写真画像情報を利用した類似著名人検索サービス、任意のテンプレート画像との合成写真作成サービスがある。占いサービス及び類似著名人検索サービスは、処理結果が電子情報として提供できるので、ネットワーク３０を介して端末装置２０に送信される。合成写真作成サービスは、利用者の希望により、合成画像データの電子情報としての提供、又はプリントととして提供を行う。電子情報の提供は、ネットワーク３０を介して行い、プリントの提供は、従来からのプリントサービスで利用される方法、例えば、配達、店頭受渡しなどの方法で提供される。プリントの提供を行う場合は、サービス処理部６０−１、６０−２で得られた合成画像情報は、図示しないプリントサーバに送られる。
【００２２】
支援情報記憶部５０は、サービス処理部６０−１、６０−２が実行する写真画像情報の編集処理又は分析処理を伴う画像処理サービスに必要な写真画像の撮影を支援する情報を、サービス毎に記憶するものである。撮影を支援する情報は、サービス処理に好適な構図の画像撮影を支援するための撮影補助画像情報を含んでいる。そして、この撮影補助画像情報は、デジタルカメラの表示装置における被写体画像との重畳表示に利用される。なお、図１では、支援情報記憶部５０をサービス管理サーバ４０と別のものとして記載したが、サービス管理サーバ４０の内部メモリ（図氏せず）を利用することにより省略も可能である。
【００２３】
端末装置２０は、サービス管理サーバ４０に対するサービス要求を行うものであり、サービス要求後、サービス管理サーバ４０からサービスに利用される画像の撮影を支援する撮影補助画像情報を含む撮影支援情報を受信し、受信した撮影支援情報をデジタルカメラ１０に送信し、デジタルカメラ１０から撮影支援情報を利用して撮影した画像情報を受信し、受信した画像情報をサービス管理サーバ４０に送信するものである。端末装置２０は、ネットワーク３０に接続可能であればよいので、個人用のパソコン、携帯電話機等の携帯端末が利用できる。
【００２４】
デジタルカメラ１０は、ＵＳＢインタフェース等による有線接続、あるいは、Bluetooth、赤外線等による近接無線接続によって端末総理２０と通信可能である。そして、端末装置２０から受信した撮影支援情報に利用した写真撮影が可能であり、撮影支援情報を利用して撮影した画像情報を端末装置２０に送信する。
【００２５】
図２は、図１のサービスシステムを構成するデジタルカメラ１０の概略構成を示す図である。図２のデジタルカメラ１０は、撮像部１１、画像メモリ１２、圧縮／伸張部１３、画像記録部１４、制御部１５、操作部１６、入出力インタフェース部１７、表示部１８を含む。
【００２６】
撮像部１１は、撮影レンズ等の光学系、ＣＣＤ等の撮像素子、及び信号処理部（いずれも図示せず）を含んで構成される。撮影レンズを介して撮像素子の受光面に結像した被写体像は、撮像素子において光電変換され、映像信号として順次読み出される。そして、信号処理部に送られ、ゲイン調整回路等によって所定のアナログ処理を施された後、Ａ／Ｄ変換され、さらにデジタル画像処理が施され、画像メモリ１２に記憶される。信号処理部におけるデジタル画像処理は、ＤＳＰによって実現される。
【００２７】
画像メモリ１２は、撮像部１１で得られたデジタル画像信号を一時的に記憶するもので、この信号に基づき表示部１８に撮影画像を表示することができる。また、画像記録部１４に記憶された画像情報を伸張処理した画像信号を記憶し、表示部１８に表示させるものである。表示部１８は、液晶パネル等で構成され、制御部１５の制御によりデジタルカメラの状態情報、操作支援情報等各種情報の表示も行う。
【００２８】
圧縮／伸張部１３は、画像メモリ１２に一時的に記憶されるデジタル画像信号を圧縮して画像記録部１４に送るとともに、画像記録部１４に記録された圧縮画像情報を伸張処理して画像メモリ１２に記憶させるものである。画像記録部１４は、撮影画像信号を圧縮処理した画像情報を、所定のファイル形式で記憶するものである。画像記録部１４は、例えばフラッシュメモリに構成され、デジタルカメラ１０に内蔵されたメモリによって構成することもできるし、メモリカード等のメディアを利用することもできる。画像記録部１４の内容は、制御部１５の制御により、入出力インタフェース部１７を介して外部に取り出すことができる。なお、画像記録部１４からの画像情報の転送のために、画像転送専用のインタフェースを別に設けてもよい。
【００２９】
制御部１５は、撮影支援情報記憶部１５１を含んで構成され、デジタルカメラ１０全体の動作を制御するもので、具体的にはプログラムによって動作するプロセッサを主体に構成される。撮影支援情報記憶部１５１には、撮影補助画像情報を含む撮影支援情報が記憶され、撮影補助画像情報は、表示部１８に撮影画像を表示する際に撮影画像と重畳表示可能である。撮影補助画像情報は、撮影画像の構図決定を支援する補助線等からなり、この補助線に被写体を合わせて撮影すると、サービスに利用するのに好適な画像を撮影することができる。
【００３０】
操作部１６は、デジタルカメラ１０の各種操作を行うもので、シャッターレリーズボタン等の撮影操作のためのもの、画像記録部１４に記憶された画像情報に基づく画像の表示操作のためのもの、プリント依頼情報の作成操作のためのものを含む。入出力インタフェース部１７は、ＵＳＢインタフェース等の有線接続、あるいは、Bluetooth、赤外線等による近接無線接続無線によってデジタルカメラ１０と外部機器との情報の授受を行うものである。
【００３１】
このように構成されたデジタルカメラ１０は、操作部１６の操作により、通常の撮影動作が可能であるとともに、端末装置２０から受信した撮影支援情報を利用した写真撮影、及び撮影支援情報を利用して撮影した画像情報を端末装置２０に送信可能である。
【００３２】
図３は、図１のサービスシステムを構成する端末装置２０の概略構成を示す図である。図３の端末装置２０は、制御部２１、入出力インタフェース部２２、情報記録装置２３、表示部２４、操作部２５、通信部２６を含むが、情報記録装置２３は、省略可能である。
【００３３】
制御部２１は、端末装置２０全体の制御を行うものであり、プログラムによって動作するプロセッサを主体に構成される。入出力インタフェース部２２は、デジタルカメラ１０の入出力インタフェース部１７と接続可能であり、デジタルカメラ１０との間で情報の送受信を行うものである。
【００３４】
情報記録装置２３は、入出力インタフェース部２２からの撮影画像情報等を記録するもので、例えばハードディスク装置で構成される。表示部２４は、端末装置２０の状態、操作ガイダンス等を表示するものである。操作部２５は、端末装置２０の各種操作を行うものである。通信部２６は、ネットワーク３０に接続され、サービス管理サーバ４０に対するサービス要求に伴う情報の送受信処理を行うものである。
【００３５】
図４に、図１のサービスシステムを構成するサービス管理サーバ４０の概略構成を示す。サービス管理サーバ４０は、制御部４１、記憶部４２、ファイル装置４３、通信部４４を備える。制御部４１は、プリント注文管理サーバ４０の動作全体を制御するもので、具体的には、記憶部４２に記憶されたプログラムにしたがって動作するプロセッサを主体に構成される。記憶部４２は、上記プログラム、プリント注文管理サーバ４０の動作を制御するための各種データが記憶されるとともに、ネットワーク３０を介して端末装置２０から送信されたサービス要求に関する情報を記憶する。サービス処理に必要な情報の一時保存領域及びプロセッサのワーク領域として使用される。
【００３６】
ファイル装置４３は、サービスシステム利用者に関する登録情報等を保持するものである。サービスシステム利用者に関する登録情報としては、利用者の氏名、住所、電子メールアドレス、合成プリントを依頼する場合の受領方法、プリント料金の支払方法等の情報が保持されている。
【００３７】
なお、図１のシステムでは、端末装置２０とデジタルカメラ１０を別の装置として記載してあるが、端末装置２０として携帯電話機等の携帯端末を利用する場合、デジタルカメラ１０を携帯端末２０に組み込んで一体にしたものとすることもできる。
【００３８】
次に、図１のサービスシステムの動作を説明する。図５は、図１のサービスシステム利用時の概略フローを示す図である。なお、ここでは、デジタルカメラ１０で撮影した画像に基づき、人相占いサービスを行うものを例に説明する。
【００３９】
顔写真情報を用いた人相占いサービスを受けようとする場合、端末装置２０のサービスメニューから、人相占いサービスを選択する（ステップ５０１）。人相占いサービスは撮影画像を利用したサービスであるので、端末装置２０は、デジタルカメラ１０との接続を確認し、接続されていなければ、接続を促すメッセージを出力する。接続されている場合は、デジタルカメラ１０の機種情報の要求をデジタルカメラ１０に対して行い（ステップ５０２）、デジタルカメラ１０から機種情報の送信を受ける（ステップ５０３）。
【００４０】
機種情報を受信すると、端末装置２０は、人相占いサービスを行うサービス管理サーバ４０へネットワークを介してアクセスし、サービス要求を送信する（ステップ５０４）。このとき、サービス依頼者に関する依頼者情報を合わせて送信する。依頼者情報としては、依頼者の氏名、住所、電子メールアドレス、プリントの作成を行う場合の作成プリントの受領方法、サービス料金の支払方法等の情報の内の必要なものを、予め表示部１８に表示されたガイダンスにしたがって、選択又は入力しておく。依頼者情報は、予めあるいは初回利用時に登録しておき、サービス利用時には登録済の依頼者識別情報のみを送信するようにすることも可能である。また、端末装置として携帯電話機を利用する場合は、携帯電話の番号を識別情報として利用することができる。
【００４１】
なお、以上の説明では、端末装置２０に、各種アプリケーションサービスのメニューがアクセス先情報とともに登録されている場合を例に説明したが、そのようなメニューが登録されていない場合は、まず管理サービスサーバ４０に接続し、サービスメニュー情報を取得し、受けようとするサービスを選択する。その後の動作は、同一であるので説明を省略する。
【００４２】
サービス要求を受信すると、サービス管理サーバ４０は、サービス要求を登録し（ステップ５０５）、受信したサービスの種類に応じた撮影支援情報を支援情報記憶部５０から取得する。撮影支援情報は、サービス処理に好適な構図の画像撮影を支援するための撮影補助画像情報を含んでいる。図６は、人相占いサービスに利用する顔画像の撮影を支援する撮影補助画像の一例である。このような撮影補助画像を表示するための撮影補助画像情報は、サービス毎、使用するデジタルカメラの機種毎に予め用意される。機種毎に用意する理由は、デジタルカメラ１０の表示部１８の表示画素数に応じた撮影補助画像の表示を簡単に行うためである。機種毎の撮影補助画像情報を用意しない場合は、端末装置２０又はデジタルカメラ１０で、表示画素数に応じた撮影画像情報の変換を行う必要がある。なお、撮影支援情報としては、撮影補助画像情報だけでなく、撮影画像の画素数等撮影処理に関する情報も記憶しておく。
【００４３】
撮影支援情報を支援情報記憶部５０から取得すると、サービス管理サーバ４０は、取得した撮影支援情報を端末装置２０に送信する（ステップ５０７）。このとき、合わせてサービス要求受付情報を端末装置２０に送信し、端末装置２０とサービス管理サーバ４０との通信を一旦終了する。サービス要求受付情報は、個別のサービス要求それぞれを識別するための情報で、後で受信する撮影画像情報と受付けたサービス要求とを関連付けるために利用される。
【００４４】
撮影支援情報を受信すると、端末装置２０は、受信した撮影支援情報をデジタルカメラ１０に送信し、顔画像の撮影を促す（ステップ５０８）。このとき、撮影支援情報とともに、サービス管理サーバ４０から受信したサービス要求受付情報、サービス管理サーバ４０のアドレス情報をデジタルカメラ１０に送信すると、端末装置２０とデジタルカメラ１０との通信を一旦終了することができる。撮影支援画像情報の受信後、短時間で必要な撮影ができるとは限らないので、一旦、デジタルカメラ１０と端末装置２０との接続を終了可能とするのが好ましい。
【００４５】
撮影支援情報を受信すると、デジタルカメラ１０は、撮影支援情報を撮影支援情報記憶部１５１に記憶し、撮影を開始する（ステップ５０９）。撮影時、被写体の撮影画像と撮影補助画像情報に基づく画像は、表示部１８に重畳表示される。図７に重畳表示された画像の一例を示す。このように、被写体撮影時に撮影補助画像を重畳表示することにより、サービス処理に好適な構図の撮影画像を適確に短時間で撮影可能となる。
【００４６】
撮影支援情報を利用した撮影が終了すると、デジタルカメラ１０から撮影画像情報が端末装置２０に送信される（ステップ５１０）。撮影支援情報の受信時にサービス要求受付情報、サービス管理サーバ４０のアドレス情報を受信している場合は、それらの情報も合わせて送信される。次いで、端末装置２０は、再びサービス管理サーバ４０にサクセスし、サービス要求受付情報とともにデジタルカメラ１０から受信した撮影画像情報を送信する（ステップ５１１）。
【００４７】
撮影画像情報とサービス要求受付情報を受信すると、サービス管理サーバ４０は、登録したサービス要求であることを確認後、人相占いサービスを行うサービス処理部に処理の実行を指示する（ステップ５１２）。人相占いは、例えば画像の輪郭や、部分形状の抽出を行って顔画像の特徴データを求め、特徴データと占い情報を記憶したテーブルを参照して占い結果を出力する。占い処理は、各種方法が提案されているので、適宜選択することができる。
【００４８】
サービス処理部から処理結果を取得する（ステップ５１３）と、サービス管理サーバ４０は、処理結果を端末装置２０に送信する（ステップ５１４）。端末装置２０は、受信した処理結果（占い結果）を表示部２４に表示する（ステップ５１５）ので、サービス依頼者は、撮影した顔画像に基づく人相占い結果を閲覧することができる。
【００４９】
以上説明したサービスを実施するため、端末装置２０及びデジタルカメラ１０には、所定のプログラムが必要である。このようなプログラムは、予め端末装置２０及びデジタルカメラ１０に保持しておいてもよいが、サービス管理サーバ４０に接続してサービスの要求後、サービスに必要なプログラムをサービス管理サーバ４０からダウンロードするようにしてもよい。こうすると、端末装置２０及びデジタルカメラ１０に事前に記憶させておくべき情報量を減らすことができ、記憶装置の効率的利用が可能となる。また、サービス内容の変更にも柔軟に対応することができる。
【００５０】
また、このようなサービスに対して課金を行う場合は、各種提案済のものを適宜採用できる。例えば、クレジットカードによる支払いが採用できるが、合成写真のプリントサービスの場合は、作成された画像プリントの受け取り時に受取と引換に支払いを行うようにすることもできる。
【００５１】
【発明の効果】
以上の説明から明らかなように、本発明によれば、撮影写真画像を利用したサービスを、短時間で精度よく行うことができる。
【図面の簡単な説明】
【図１】本発明のサービスシステムの実施の形態の概略全体構成を示す図
【図２】図１のサービスシステムを構成するデジタルカメラの概略構成を示す図
【図３】図１のサービスシステムを構成する端末装置の概略構成を示す図
【図４】図１のサービスシステムを構成するサービス管理サーバの概略構成を示す図
【図５】図１のサービスシステム利用時の概略フローを示す図
【図６】顔画像の撮影を支援する撮影補助画像の一例を示す図
【図７】撮影補助画像と被写体撮影画像とを重畳表示した表示画像の一例を示す図
【符号の説明】
１０・・・デジタルカメラ
１１・・・撮像部
１２・・・画像メモリ
１３・・・圧縮／伸張部
１４・・・画像記録部
１５・・・制御部
１６・・・操作部
１７・・・入出力インタフェース部
１８・・・表示部
２０・・・端末装置
２１・・・制御部
２２・・・入出力インタフェース部
２３・・・情報記録装置
２４・・・表示部
２５・・・操作部
２６・・・通信部
３０・・・ネットワーク
４０・・・サービス管理サーバ
４１・・・制御部
４２・・・記憶部
４３・・・ファイル装置
４４・・・通信部
５０・・・支援情報記憶部
６０−１、６０−２・・・サービス処理部
１５１・・・撮影支援情報記憶部
【図１】
0003907168.tif 000002
【図２】
0003907168.tif 000003
【図３】
0003907168.tif 000004
【図４】
0003907168.tif 000005
【図５】
0003907168.tif 000006
【図６】
0003907168.tif 000007
【図７】
0003907168.tif 000008